(57)【要約】【課題】使用者が屈んだり、しゃがんだりすることなく、靴を並びかえたり、靴を履くことができる靴べらを提供する。【解決手段】靴べら１は、細長い本体部１０と、この本体部のー端部に設けられたハンドル２０と、本体部１０の他端部に設けられたアーム部３０とを備え、更に、靴べら本体４０と、移動装置５０と、を備える。靴べら本体４０は、本体部１０の他端部から、その先端までの長さを調整可能である。移動装置５０は、本体部１０の長手方向に移動することによって、靴べら本体４０を、移動させる。【選択図】図２
2017035410.tif 000002
【特許請求の範囲】
【請求項１】
細長い本体部と、この本体部のー端部に設けられたハンドルと、前記本体部の他端部に設けられたアーム部とを備え、前記ハンドルを操作することにより前記アーム部を開閉作動させる操作ハンドルが設けられた靴べらであって、
前記本体部の他端部から、その先端までの長さを調整可能である靴べら本体と、
前記本体部の内側に配置され、前記靴べら本体に接続され、前記本体部の長手方向に移動することによって、前記靴べら本体を、移動させる移動装置と、を備える靴べら。
【請求項２】
前記移動装置は、
前記本体部の側面上に位置し、前記靴べら本体に取り付けられて、前記靴べら本体を伴い前記本体部の側面上を移動するスイッチと、
このスイッチの内側に又は前記靴べら本体の内側に取り付けられたローラーと、
このローラーがスイッチの移動に伴い表面上を移動するように設けられレールと、
前記レールをローラーの方向に付勢するバネと、を備え、
前記レールの表面にはレールの伸びる方向にローラーの位置決めを行う複数の凹部が並んで設けられていることを特徴とする請求項１に記載の靴べら。
【発明の詳細な説明】
【技術分野】
【０００１】
本発明は、操作ハンドルが設けられた靴べらに関する。
【背景技術】
【０００２】
病院や施設で入院かんじゃや老人がベッドから靴をはいて降りる時は靴をはきやすい位置に並べる必要がある。ところが靴をはきやすい位置に並べるには入院かんじゃや老人はしゃがんだりかがんだりしなければならないので脚に外科的手術を受けた入院かんじゃの場合には靴の並びかえはそれ程簡単ではない。
【０００３】
そこでこのような靴の並びがえには、たとえばマジックハンドル( 登録商標 )のような操作ハンドルが用いられる。しかしながら、操作ハンドルで靴が並びかえても、靴べらを使用する時に入院かんじゃはやはりかがまなくてはならない。そこで特許文献1に示されているような靴べら付きの操作ハンドルが考えられている。
【先行技術文献】
【特許文献】
【０００４】
【特許文献１】特開２００４−８７２５号公報
【発明の概要】
【発明が解決しようとする課題】
【０００５】
しかしながら、特許文献１の靴べら付きの操作ハンドルは、靴べらの背面にアームが設けられているので、靴べらを使用するときに、アームが邪魔になる場合があった。また、特許文献１の靴べらは、握りから靴べらまでの高さを変えることができないので、例えば、使用者が比較的背が高い場合には、屈まないと靴べらを使用できないという問題があった。
【０００６】
本発明は、使用者が屈んだり、しゃがんだりすることなく、靴を並びかえたり、靴を履くことができる靴べらを提供することを目的とする。
【課題を解決するための手段】
【０００７】
細長い本体部と、この本体部のー端部に設けられたハンドルと、前記本体部の他端部に設けられたアーム部とを備え、前記ハンドルを操作することにより前記アーム部を開閉作動させる操作ハンドルが設けられた靴べらであって、
前記本体部の他端部から、その先端までの長さを調整可能である靴べら本体と、
前記本体部の内側に配置され、前記靴べら本体に接続され、前記本体部の長手方向に移動することによって、前記靴べら本体を、移動させる移動装置と、を備える靴べら。
【０００８】
前記移動装置は、  前記本体部の側面上に位置し、前記靴べら本体に取り付けられて、前記靴べら本体を伴い前記本体部の側面上を移動するスイッチと、
このスイッチの内側に又は前記靴べら本体の内側に取り付けられたローラーと、
このローラーがスイッチの移動に伴い表面上を移動するように設けられレールと、
前記レールをローラーの方向に付勢するバネと、を備え、
前記レールの表面にはレールの伸びる方向にローラーの位置決めを行う複数の凹部が並んで設けられていることを特徴とする請求項１に記載の靴べら。
【発明の効果】
【０００９】
本発明によれば、使用者が屈んだり、しゃがんだりすることなく、靴を並びかえたり、靴を履くことができる靴べらを提供できる。
【図面の簡単な説明】
【００１０】
【図１】本発明の実施形態に係る靴べらの斜視図である。
【図２】本発明の実施形態に係る靴べらの斜視図である。
【図３】本発明の実施形態に係る靴べらの断面図である。
【図４】本発明の実施形態に係る靴べらの断面図である。
【図５】本発明の実施形態に係る靴べらの使用方法を説明する図である。
【発明を実施するための形態】
【００１１】
図１及び図２は、本発明の実施形態に係る靴べらの斜視図であり、図１は靴べら本体及びアーム部が本体部内に収容された状態を示し、図２は靴べら本体及びアーム部が本体部の先端側から突出した状態を示している。図３及び図４は、本発明の実施形態に係る靴べらの断面図であり、図３は靴べら本体及びアーム部が本体部内に収容された状態を示し、図４は靴べら本体及びアーム部が本体部の先端側から突出した状態を示している。
【００１２】
靴べら１は、細長い本体部１０と、この本体部のー端部に設けられたハンドル２０と、本体部１０の他端部に設けられたアーム部３０とを備え、更に、靴べら本体４０と、移動装置５０と、を備える。
【００１３】
靴べら本体４０は、本体部１０の他端部から、その先端までの長さを調整可能である。
移動装置５０は、本体部１０の長手方向に移動することによって、靴べら本体４０を、移動させる。
【００１４】
移動装置５０は、スイッチ５１と、ローラー５２と、レール５３と、バネ５４と、を備える。
スイッチ５１は、本体部１０の側面上に位置し、靴べら本体４０に取り付けられて、靴べら本体４０を伴い本体部１０の側面上を移動する。
ローラー５２は、スイッチ５１の内側に又は靴べら本体４０の内側に取り付けられている。
レール５３は、ローラー５２がスイッチ５１の移動に伴い表面上を移動するように設けられ、その表面にはレール５３の伸びる方向にローラー５２の位置決めを行う複数（例えば、３つ）の凹部５３１が並んで設けられている。これにより、靴べら１の長さを段階的に調節できる。
【００１５】
次に、靴べら１の使用方法を説明する。図５は、本発明の実施形態に係る靴べらの使用方法を説明する図である。
使用者は、まず、ハンドル２０を握り、アーム部３０を開き、靴のベロをアーム部３０の間に入れ、ハンドル２０を離す。これにより、アーム部３０で靴のベロを挟むことができる。この状態で、使用者は、靴のベロの下に足を挿入する。
そして、使用者は、ハンドル２０を握り、アーム部３０を開き、靴のベロをアーム部３０から解放し、移動装置５０により、靴べら本体４０を、本体部１０の他端部から突出させ、踵と靴の間に挿入し、足を靴の中に押し込む。
【符号の説明】
【００１６】
１    靴べら
１０  本体部
２０  ハンドル
３０  アーム部
４０  靴べら本体
５０  移動装置
【図１】
2017035410.tif 000003
【図２】
2017035410.tif 000004
【図３】
2017035410.tif 000005
【図４】
2017035410.tif 000006
【図５】
2017035410.tif 000007